(57)【要約】取付体本体と、取付体本体と係合された周辺取付具と、を含む、取付体。取付体は、周辺取付具の取付面に対してある角度に向けられたタイマー及びスパウトを含む。
2021525202.tif 000002
【特許請求の範囲】
【請求項１】
取付体（２００）であって、
取付体本体（７０）と、
前記取付体本体と係合され取付面（２０５）を有する周辺取付具（２０２）と、
上流にあるスパウト入口（９０）及び下流にあるスパウト出口（１００）、並びに前記スパウト入口から前記スパウト出口へと延びるスパウト壁部（１１０）を有するスパウト（８０）であって、前記スパウト入口はスパウト入口反転部（１２０）を有し、前記スパウト出口はスパウト出口反転部（１２０）を有し、前記スパウト入口反転部と前記スパウト出口反転部とを接続する直線が、前記取付面の上方に１０度〜８５度の角度に向いている、スパウト（８０）と、
前記スパウト出口と整列し、前記スパウト出口の上流にある、非可動の部分的障害物（１４０）と、
前記スパウト出口から離隔したエントランス（１６０）と、前記エントランスからイグジット（１８０）へと延びる通気口壁部（１７０）と、を備える通気口（１５０）であって、前記イグジットは前記スパウト入口と流体連通している、通気口（１５０）と、
前記取付体本体と係合されたタイマー（１９０）であって、タイマー液体（４０５）の固定体積を含む閉鎖システムを含むタイマー（１９０）と、を備える、取付体。
【請求項２】
前記部分的障害物は、前記スパウト内の前記スパウト入口と前記スパウト出口との間にある、請求項１に記載の取付体。
【請求項３】
前記スパウトは、前記スパウト入口反転部から前記スパウト出口反転部に延びる反転内部輪郭（２５０）を有し、前記部分的障害物は前記反転内部輪郭に沿っている、請求項１又は２に記載の取付体。
【請求項４】
前記部分的障害物は、前記スパウト入口に向かって実質的に平坦な表面（９９）を呈する、請求項１〜３のいずれか一項に記載の取付体。
【請求項５】
前記スパウトは、前記スパウト入口と前記スパウト出口との間に、前記取付面に平行な複数の完全内部区画（２４５）を備え、前記完全内部区画は、前記スパウト入口から前記スパウト出口までの完全内部区画領域の、前記部分的障害物による減少を含まない、請求項１〜４のいずれか一項に記載の取付体。
【請求項６】
前記スパウト出口は、スパウト出口周囲長（２６０）を有し、前記イグジットは、前記部分的障害物から、前記スパウト出口周囲長の０．５倍超だけ離れており、前記イグジットは、イグジット周囲長を有し、前記スパウト出口周囲長は、前記イグジット周囲長の２倍超である、請求項１〜５のいずれか一項に記載の取付体。
【請求項７】
前記取付体は、少なくとも部分的に前記スパウトの周囲に延び、前記スパウトから離れるように外向きに延びるフロア（２１０）と、チャネル壁部（２２０）であって、前記スパウト入口から離れる方向に前記フロアから延びて前記スパウトと前記チャネル壁部との間にドレインバックチャネル（２３０）を画定する、チャネル壁部と、を更に備え、前記フロアは、前記エントランスに向かって、又は前記スパウト入口と流体連通している穴（２４０）に対して傾斜している、請求項１〜６のいずれか一項に記載の取付体。
【請求項８】
前記タイマーは、
供給元リザーバ（２８０）と、
内側空間（３００）と外部表面（３１０）とを有する収集リザーバ（２９０）であって、前記内側空間の少なくとも一部分が前記外部表面から視認可能である、収集リザーバ（２９０）と、
前記供給元リザーバと前記収集リザーバとを接続するタイマーオリフィス（３２０）と、
前記収集リザーバと前記供給元リザーバとを接続し、前記タイマーオリフィスから離れて配置された開口部（３３０）と、を備え、
前記タイマー液体は、前記供給元リザーバ及び前記収集リザーバのうちの一方又は両方に収容されている、請求項１〜７のいずれか一項に記載の取付体。
【請求項９】
前記取付体は、前記スパウト出口が前記スパウト入口の上方にある第１の姿勢と、前記スパウト入口が前記スパウト出口の上方にある第２の姿勢と、を有し、
前記取付体が前記第２の姿勢にあるときに、前記取付体が前記第１の姿勢にあるときよりも、より多くの量の前記タイマー液体が前記収集リザーバ内にあり、
前記取付体が前記第２の姿勢にあるとき、前記タイマー液体は前記外部表面から視認可能である、請求項８に記載の取付体。
【請求項１０】
前記収集リザーバは、前記外部表面から視認可能な少なくとも１つの計量表示部（３４０）を備える、請求項８又は９に記載の取付体。
【請求項１１】
前記スパウトは、切頭斜円錐体、切頭直円錐体、切頭一般化斜錐体、及び切頭一般化直錐体からなる群から選択される形状を有する、請求項１〜１０のいずれか一項に記載の取付体。
【請求項１２】
前記タイマーは、前記タイマー液体を収容するタイマーチャンバ（４１０）と、タイマー要素（４００）と、を備え、
前記タイマー液体は第１の密度を有し、前記タイマー要素は第２の密度を有し、
前記第２の密度は前記第１の密度と異なり、
前記タイマー要素は、前記タイマー液体を通って移動可能であり、
前記タイマー要素は、前記タイマーチャンバの外側から視認可能であり、
１つ以上の計量表示部が、前記タイマーチャンバ上にあるか、又は前記タイマーチャンバに隣接する、請求項１〜１１のいずれか一項に記載の取付体。
【請求項１３】
前記タイマーチャンバは、第１の端部（４１５）と、前記第１の端部の反対側にある第２の端部（４２０）と、前記第１の端部を前記第２の端部に接続し、前記タイマー液体を収容する前記タイマーチャンバを画定する、タイマーチャンバ壁部（４２５）と、を備え、前記第１の端部から前記第２の端部までの前記タイマーチャンバは、前記スパウト入口から前記スパウト出口までの前記スパウトと整列している、請求項１２に記載の取付体。
【請求項１４】
前記第２の密度は前記第１の密度よりも大きい、請求項１２又は１３に記載の取付体。
【請求項１５】
前記取付体は、前記スパウト出口が前記スパウト入口の上方にある第１の姿勢と、前記スパウト入口が前記スパウト出口の上方にある第２の姿勢と、を有し、
前記取付体が前記第１の姿勢から前記第２の姿勢へと移行したとき、前記タイマー要素は、前記第１の端部から前記第２の端部に向かって前記タイマー液体を通って移動するか、又は前記第２の端部から前記第１の端部に向かって前記タイマー液体を通って移動する、請求項１２〜１４のいずれか一項に記載の取付体。
【発明の詳細な説明】
【技術分野】
【０００１】
液体組成物分配。
【背景技術】
【０００２】
液体組成物の多くは、容器の開放端部を通じて、又は容器のためのクロージャの一部を形成する分配システムを通じて容器から分配される。例えば、液体洗濯製品は一般に容器内にパッケージ化され、容器は、容器に取り付けられたスパウト取付体と、スパウト取付体及び／又は容器と係合するクロージャと、を有する。クロージャは、多くの場合、計量カップとして機能するための二次目的を有し、クロージャの内側又は外側に計量表示部が設けられており、この表示部は、洗濯物の投入量の大きさ又は他の洗浄条件に応じて使用するのが望ましい、液体の具体的な体積に対応する、クロージャに印を付けられたフォームライン又はバーを有する。
【０００３】
時には、消費者が所望の量の液体洗濯製品を投入カップの中に正確に分配するには、いくぶんかの努力が必要とされ得る。消費者が製品を過少に投入した場合、消費者は、有効量の製品を使用できなかったために、液体洗濯製品の性能に不満となる場合がある。消費者が製品を過剰に投入した場合、消費者は、単一の容器の液体洗濯製品で消費者が行い得る洗濯の数に不満となる場合がある。
【０００４】
容器が液体を分配する際に容器から分配される液体の量を測定する目的を有する様々な装置が存在する。容器からの流量が一定でない場合があり、変位した液体と置き換わるべく容器に進入した空気が結果として、容器からの不規則な液体流を生じる場合があり、また、狭窄部を通り、及び場合により複数の経路を通って容器から出る液体流の動力学は複雑であるので、容器から液体を注ぐときに分配される液体の量を測定することは特に困難な作業である。
【発明の概要】
【発明が解決しようとする課題】
【０００５】
これらの制限を念頭に置いて、測定された量の液体を分配するための装置及びプロセスに対する継続的な未解決の必要性が存在する。
【課題を解決するための手段】
【０００６】
取付体であって、取付体本体と、当該取付体本体と係合され取付面を有する周辺取付具と、上流にあるスパウト入口及び下流にあるスパウト出口、並びに当該スパウト入口から当該スパウト出口へと延びるスパウト壁部を有するスパウトであって、当該スパウト入口はスパウト入口反転部を有し、当該スパウト出口はスパウト出口反転部を有し、当該スパウト入口反転部と当該スパウト出口反転部とを接続する直線が、当該取付面の上方に約１０度〜約８５度の角度に向いている、スパウトと、当該スパウト出口と整列し、当該スパウト出口の上流にある、非可動の部分的障害物と、当該スパウト出口から離隔したエントランスと、当該エントランスからイグジットへと延びる通気口壁部と、を備える通気口であって、当該イグジットは当該スパウト入口と流体連通している、通気口と、当該取付体本体と係合されたタイマーであって、タイマー液体の固定体積を含む閉鎖システムを含むタイマーと、を備える取付体であって、任意で、当該取付体は、少なくとも部分的に当該スパウトの周囲に延び、当該スパウトから離れるように外向きに延びるフロアと、チャネル壁部であって、当該スパウト入口から離れる方向に当該フロアから延びて当該スパウトと当該チャネル壁部との間にドレインバックチャネルを画定する、チャネル壁部と、を更に備え、当該フロアは、当該エントランスに向かって、又は当該スパウト入口と流体連通している穴に対して傾斜している、取付体。
【０００７】
取付体であって、取付体本体と、当該取付体本体と係合され取付面を有する周辺取付具と、上流にあるスパウト入口及び下流にあるスパウト出口、並びに当該スパウト入口から当該スパウト出口へと延びるスパウト壁部を有するスパウトであって、当該スパウト入口はスパウト入口反転部を有し、当該スパウト出口はスパウト出口反転部を有し、当該スパウト入口反転部と当該スパウト出口反転部とを接続する直線が、当該取付面の上方に約１０度〜約８５度の角度に向いている、スパウトと、当該スパウト出口と整列し、当該スパウト出口の上流にある、非可動の部分的障害物と、当該スパウト出口から離隔したエントランスと、当該エントランスからイグジットへと延びる通気口壁部と、を備える通気口であって、当該イグジットは当該スパウト入口と流体連通している、通気口と、当該取付体本体と係合されたタイマーであって、姿勢起動電子タイマーを備えるタイマーと、を備える取付体であって、当該取付体は、少なくとも部分的に当該スパウトの周囲に延び、当該スパウトから離れるように外向きに延びるフロアと、チャネル壁部であって、当該スパウト入口から離れる方向に当該フロアから延びて当該スパウトと当該チャネル壁部との間にドレインバックチャネルを画定する、チャネル壁部と、を更に備え、当該フロアは、当該エントランスに向かって、又は当該スパウト入口と流体連通している穴に対して傾斜している、取付体。
【図面の簡単な説明】
【０００８】
【図１】容器及び取付体である。
【図２】取付体であり、取付体の取付面が示されている。
【図３】取付体及び容器の一部分の断面図である。
【図４】スパウトの完全内部区画をスパウトにおけるクロスハッチングで示す、取付体の断面図である。
【図５】取付体の上面図である。
【図６】取付体の底面図である。
【図７】取付体の底面図である。
【図８】供給元リザーバ及び収集リザーバを有するタイマーの断面図である。
【図９】容器本体が液体組成物を分配するための第２の姿勢にある、取付体及びタイマーの断面図である。
【図１０】クロージャを有する容器である。
【図１１】タイマー要素とタイマー液体の密度のコントラストの原理で動作するタイマーを有する取付体である。
【図１２】姿勢起動電子タイマーを有する取付体である。
【図１３】液体組成物を分配している容器を示す。
【発明を実施するための形態】
【０００９】
本明細書に記載される容器及び取付体は、液体組成物を分配するのに特に実用的であり得る。容器１０を図１に示す。使用中、ユーザーは容器本体２０を傾けて、容器本体２０内から液体組成物５０を注ぐことを開始する。タイマー１９０は、取付体本体７０と係合されている。タイマー１９０は、容器本体２０が傾けられたときに開始される。液体組成物５０が注がれている間、ユーザーは、注ぎの適切な持続時間が完了したという信号が発生するまでタイマー１９０を見る。注ぎの持続時間は、注がれる液体組成物５０の量に関連する。ユーザーが、注ぎの持続時間が完了したという信号をタイマー１９０から観察すると、ユーザーは容器本体２０を直立させて注ぎを停止させる。タイマー１９０は、ユーザーに視認可能な１つ以上の計量表示部３４０を有し得る。計量表示部３４０は、非限定的な例として、印刷されたマーク、隆起部分、テクスチャ部分、不透明部分、半不透明部分であってよく、これらのいずれも、サイズに関連する数値的な指標、又は洗浄若しくは処理されている洗濯物の汚れの程度、又は小型バスケット及び大型バスケットなどの洗濯の量の指標と関連し得る。
【００１０】
容器本体２０は、液体組成物５０を分配するために通常用いられるタイプのものであってよく、例えば、押出ブロー成形又は射出ブロー成形によるポリエチレン又はポリプロピレンの容器本体２０であり得る。容器本体２０は、多層の容器本体２０であり得る。容器本体２０は、閉鎖端部３０、及び反対側にある開放端部を有し得る。閉鎖端部３０又は閉鎖端部３０の一部は、棚又はテーブルなどの水平面上に安定して静置するのに好適な平面を呈し得る。
【００１１】
容器本体２０は、容器本体２０の内部に液体組成物５０を収容し得る。容器本体２０の閉鎖端部３０が水平面上に静置されているとき、液体組成物５０は潤滑面６０有する。
【００１２】
容器１０は、開放端部に取り付けられた取付体本体７０を有し得る。取付体本体７０及び開放端部は、取付体又はクロージャを容器本体２０の口栓部に接続する、当該技術分野において既知の、ねじ込み式接続、スナップ嵌め接続、接着式接続、圧縮嵌め接続、又は任意の他の種類の接続、又は前述の接続の組み合わせによって互いに係合されていてもよい。取付体本体７０は、射出成形部品、付加製造部品とすることができ、又は複雑な形状を有する部品を作製するための既知の任意の他の製造手法によって作製されてもよい。取付体本体７０は、容器本体２０クロージャシステムの少なくとも一部を形成し得る。
【００１３】
スパウト８０は、取付体本体７０と係合され得る。スパウト８０は、スパウト入口からスパウト出口１００まで延びるスパウト反転部を有し得る。スパウト反転部は、液体組成物５０がスパウト８０を通って分配されているときのスパウト８０の内部の底部である。用語「反転」は、パイプの内部の底部の意味として、パイプの流れの技術分野で使用されるように使用される。本明細書に記載されるように、スパウト８０は、取付体本体７０が傾けられたときに、液体組成物５０の流れを伝達するか、又は伝達するように設計されている。使用時に、取付体２００は、布地処理組成物などの液体組成物５０を収容する容器本体２０に接続され、それにより、容器本体２０が傾けられると取付体本体７０が傾く。
【００１４】
液体組成物５０をスパウト８０を通して容器本体２０から簡便に注ぐために、スパウト８０が、潤滑面６０及び／又は取付体本体７０に対して角度をなしていることが実用的であり得る。角度付きスパウト８０は、スパウト８０が潤滑面６０に直交した場合に必要であり得るほどには容器本体２０を傾ける必要なく、ユーザーがスパウト８０から液体組成物５０を注ぎ始めるのを手助けし得る。角度付きスパウト８０は、取付体自体に角度付き特徴部を含めることにより、又は角度付き口栓部を有する容器本体２０を提供することにより、又はこれらの機構の組み合わせにより、あるいは、スパウト８０が係合している容器本体２０内の潤滑面６０に対して角度をなすスパウト８０を提供することができる任意の他の設計アプローチにより、提供することができる。液体組成物５０を注ぎ始めるために、ユーザーが容器本体２０を傾けなければならない程度を最小限に抑えることが望ましい場合がある。液体組成物５０は、一般に約０．５Ｌ〜約１０Ｌの体積で提供され、約０．８〜約１．５の比重を有し得る。したがって、傾けるべき液体組成物５０の質量は、一部のユーザーにとって重い場合があり、ユーザーは、注ぎ始めるために容器本体２０を傾けなければならない角度の低減を有り難く思うであろう。
【００１５】
本明細書に開示される取付体及び容器１０は、洗濯用洗剤、布地柔軟剤、肥料、食用油、石油、殺虫剤などが挙げられるがこれらに限定されない液体組成物５０を分配するのに実用的であり得る。液体組成物（５０）は、約５０センチポアズ〜約２０００センチポアズ、任意で約１００センチポアズ〜約１５００センチポアズの粘度を有し得る。
【００１６】
取付体２００は、取付体本体７０と、取付体本体７０と係合された周辺取付具２０２と、を備え得る（図２）。周辺取付具２０２は、取付面２０５を有し得る。取付面２０５は、取付面２０５の位置を示すために点鎖線で描かれている。取付面２０５は、周辺取付具２０２が容器本体２０の口栓部に嵌合するように、又は容器本体２０の口栓部と係合された部品に嵌合するように構成され、寸法決めされ、寸法設定されている平面である。取付面２０５は、周辺取付具２０２が容器本体２０の口栓部と嵌合するように設計された、空間における位置を表す。取付面２０５は、容器の口栓部に嵌合するように寸法決めされ寸法設定された、スロットの底部によって画定され得る。取付面２０５は、取付体本体７０又は周辺取付具２０２上に設けられた止め具によって画定されて、ねじ付き周辺取付具２０２が、容器本体２０の口栓部にある対応するねじ山と、又は容器本体２０の口栓部と係合された部品にある対応するねじ山と、更に係合されることを防止し得る。取付面２０５は、取付体本体７０又は周辺取付具２０２上に設けられた止め具によって画定されて、周辺取付具２０２が、どれくらいの深さまで口栓部の中に挿入され得るか、又は口栓部と係合された部品の中に挿入され得るかを制限し得る。取付面２０５は、周辺取付具２０２の一部であるねじ山（単数又は複数）が延びている平面によって画定され得る。
【００１７】
スパウト入口反転部１２０とスパウト出口反転部１３０とを接続する直線は、取付面２０５の上方から約１０度〜約８５度の角度に向き得る。任意で、スパウト入口反転部１２０とスパウト出口反転部１３０とを接続する直線は、取付面２０５の上方から約３０度〜約８５度の角度に向き得る。任意で、スパウト入口反転部１２０とスパウト出口反転部１３０とを接続する直線は、取付面２０５の上方から約５０度〜約８５度の角度に向き得る。任意で、スパウト入口反転部１２０とスパウト出口反転部１３０とを接続する直線は、取付面２０５の上方から約６０度〜約８０度の角度に向き得る。図３に示すように、スパウト８０は取付体本体７０と係合され得る。スパウト８０は、上流にあるスパウト入口９０及び下流にあるスパウト出口１００を有し得る。スパウト壁部１１０は、スパウト入口９０からスパウト出口１００まで延び得る。上流及び下流という用語は、液体組成物５０がスパウト８０内をスパウト入口９０からスパウト出口１００に向かって流れているときのスパウト８０内での方向を指す。
【００１８】
スパウト８０はスパウト入口９０からスパウト出口１００まで先細にされてもよい。これは、スパウト入口９０からスパウト出口１００までスパウト８０を通る全流量を維持するのに役立ち得る。スパウト８０を傾ける角度に応じた、スパウト８０を通る流れの変動は、スパウト８０を通る流れがスパウト８０の内部長さ又はその一部に沿った開放チャネル流である場合よりも、スパウト８０を通る全流量が存在する場合に小さくなり得る。
【００１９】
スパウト入口９０は、スパウト入口反転部１２０を有し得る。スパウト出口１００は、スパウト出口反転部１３０を有し得る。液体組成物５０をスパウト８０から注いでいる間、スパウト入口反転部１２０及びスパウト出口反転部１３０は、スパウト壁部１１０の内部に面する表面の底部にある。
【００２０】
取付体本体７０が容器本体２０の開放端部４０に係合されているとき、スパウト入口反転部１２０とスパウト出口反転部１３０とを接続する直線は、潤滑面６０の上方に約１０度〜約８５度の角度に向き得る。任意で、スパウト入口反転部１２０とスパウト出口反転部１３０とを接続する直線は、潤滑面６０の上方に約３０度〜約８５度の角度に向き得る。任意で、スパウト入口反転部１２０とスパウト出口反転部１３０とを接続する直線は、潤滑面６０の上方に約５０度〜約８５度の角度に向き得る。任意で、スパウト入口反転部１２０とスパウト出口反転部１３０とを接続する直線は、潤滑面６０の上方に約６０度〜約８０度の角度に向き得る。角度は、図に示すように、潤滑面６０から測定された角度βであり得る。容器本体２０の閉鎖端部３０が水平面上に静置されているときに、開放端部４０の口栓部が潤滑面６０に対して平行又は実質的に平行である場合、取付体本体７０を開放端部４０の口栓部に取り付けることができ、取付体２００が係合されている容器本体２０の開放端部４０の口栓部に対してスパウト８０が角度をなすように取付体２００を設計することによって、スパウト８０の角度が提供され得る。
【００２１】
取付体２００は、取付体本体７０、取付体本体７０と係合されている周辺取付具２０２、スパウト８０、及びタイマー１９０を備える。取付体２００は、周辺取付具２０２によって容器本体２０の開放端部４０と係合され得る。タイマーは、取付体本体２０の外側表面１６５と係合され得る。
【００２２】
図３に示す取付体２００は、容器本体２０の閉鎖端部３０が水平面上に静置されているときに、潤滑面６０に対して平行な又は実質的に平行な開放端部４０の口栓部を有する容器本体２０と共に使用された場合の、角度付きスパウト８０を提供する取付体２００の非限定的な例である。
【００２３】
開放端部４０は、約１０ｍｍ〜約１００ｍｍ、任意で約２０ｍｍ〜約６０ｍｍ、任意で約２０ｍｍ〜約５０ｍｍの開放端部直径を有し得る。
【００２４】
非可動の部分的障害物１４０が、スパウト出口１００と整列し、スパウト出口１００の上流に設けられてもよい。非可動の部分的障害物１４０は、スパウト８０の内部表面、又は取付体２００の別の部分、例えば取付体本体７０と係合され得る。
【００２５】
部分的障害物１４０は、取付体２００が液体組成物５０を分配する位置にあるときに、流路の縁部から縁部への液体組成物５０の流動を遮断する構造であり得る。任意で、部分的障害物１４０は、液体組成物５０の流れに抵抗する構造であって、液体組成物５０がスパウト入口９０に到達する前に、液体組成物５０が部分的障害物１４０の周りを流れるようにする構造であり得る。例えば、部分的障害物１４０は、液体組成物５０の流れの経路における障害物であり得る。すなわち、液体組成物５０は、部分的障害物１４０の頂部を越えて及び／又は部分的障害物の側部を回り込んで流れ得る。部分的障害物１４０は、スパウト入口９０と一直線になるように配置され得る。部分的障害物１４０は、スパウト入口９０の中心線と一直線になるように配置され得る。部分的障害物１４０は、スパウト入口９０から下流側にスパウト出口１００へと流動する液体組成物５０の流線を、スパウト入口９０において又はその近くで局所的に方向転換させるように配置され得る。部分的障害物１４０は、スパウト入口９０から下流側にスパウト出口１００へと流れる液体組成物５０の流線を方向転換させる、特にスパウト入口９０又はその近くを流れる液体組成物５０の流線を方向転換又は延長させるように作用し得る。
【００２６】
部分的障害物１４０は、スパウト８０内でスパウト入口９０とスパウト出口１００との間に配置され得る。容器本体２０からの液体組成物５０は、容器本体２０から、スパウト入口９０を通り、部分的障害物１４０を越えて、及び／又は回り込んで、及び／又は過ぎて、スパウト出口１００を通る。部分的障害物１４０はスパウト８０の内部にあり得る。部分的障害物１４０は、部分的障害物１４０を過ぎる液体組成物５０の流速に対して、部分的障害物１４０の上流の全ヘッドが及ぼす影響を低減させるのに役立つことができ、また、スパウト８０の形状、スパウト壁部１１０の表面粗さ、及び液体組成物５０が容器１０から分配される位置に容器１０がある場合の部分的障害物１４０の上方の全ヘッドよりも、スパウト出口１００から流出する流速に対して比較的大きな又は更にはより大きな影響を及ぼし得る。
【００２７】
部分的障害物１４０は、部分的障害物１４０が配置されている取付体２００内の開放断面領域を、部分的障害物１４０の直ぐ上流の位置と比較して低減させる。部分的障害物は、スパウト入口９０に配置されてもよいし、スパウト入口９０の直ぐ上流に配置されてもよいし、又はスパウト入口９０の上流に配置されてもよい。部分的障害物１４０は、スパウト８０内で、スパウト出口１００によりもスパウト入口９０により近いように配置され得る。部分的障害物１４０は、スパウト８０内で、スパウト入口９０によりもスパウト出口１００により近いように配置されてもよい。
【００２８】
部分的障害物１４０は、スパウト８０を通る液体組成物５０の流動に影響を有するか、又は更には大きな影響を有するか、又は更には重大な影響を有するように配置され得る。すなわち、スパウト８０から出る液体組成物５０の流れに対して、部分的障害物１４０は、部分的障害物１４０の上流にあるスパウト壁部１１０内にあるか又はスパウト壁部を画定する他の特徴部よりも、比較的大きな影響を及ぼし得る。部分的障害物１４０の機能は、スパウト出口１００から出る液体組成物５０の流速に相当な影響を及ぼす構造的特徴部を提供することであり、これは、スパウト出口１００から出る液体組成物５０の流速に対して、スパウト入口９０又は部分的障害物１４０の上方にある、液体組成物５０の全ヘッドが及ぼす影響を低減させるのに役立ち得る。
【００２９】
部分的障害物１４０は、取付面２０５に平行に測定した際の部分的障害物の直ぐ上流の位置と比較して、部分的障害物１４０が配置された場所において、スパウト８０の開放断面領域を、約１０％を超えて、任意で約２０％を超えて、更に任意で約３０％を超えて低減させ得る。
【００３０】
部分的障害物１４０は、スパウト入口９０によりもスパウト出口１００により近いように配置され得る。これにより、スパウト８０内において十分な量の液体の継続的な収集がなされて、ほぼ一定の流速の液体組成物５０が部分的障害物１４０を過ぎてスパウト出口１００に向かって供給されると考えられる。部分的障害物１４０は、部分的障害物１４０が配置されている場所において、スパウト８０の開放断面領域の約１０％を超えて遮断し得る。部分的障害物１４０は、部分的障害物１４０が配置されている場所において、スパウト８０の開放断面領域の約２０％を超えて遮断し得る。部分的障害物１４０は、部分的障害物１４０が配置されている場所において、スパウト８０の開放断面領域の約３０％を超えて遮断し得る。部分的障害物１４０は、部分的障害物１４０が配置されている場所において、スパウト８０の開放断面領域の約４０％を超えて遮断し得る。部分的障害物１４０は、部分的障害物１４０が配置されている場所において、スパウト８０の開放断面領域の約５０％超を遮断し得る。部分的障害物１４０は、部分的障害物１４０が配置されている場所において、スパウト８０の開放断面領域の約６０％を超えて遮断し得る。部分的障害物１４０が遮断する流れが多くなるほど、部分的障害物１４０を越えるか又は過ぎる定常流をサポートするために、十分な体積の液体組成物５０が部分的障害物１４０の背後に存在することになり、また液体組成物５０がスパウト出口１００から流出する速度はより遅くなるであろう。開放断面領域の割合は、取付面２０５に平行に測定され得る。
【００３１】
部分的障害物１４０は、スパウト出口１００の開放断面領域の約２０％を超える部分的障害物面領域を有し得る。部分的障害物面領域は、スパウト出口１００に向かって下流に呈する部分的障害物の投影面積として測定される。部分的障害物面領域は、約５０ｍｍ２〜約２００ｍｍ２、任意で約８０ｍｍ２〜約１６０ｍｍ２、任意で約１００ｍｍ２〜約１４０ｍｍ２、任意で約１２０ｍｍ２であり得る。部分的障害物１４０は、スパウト出口１００の開放断面領域の約３０％を超える、任意で約４０％を超える、任意で約５０％を超える、任意で約７０％を超える、任意で約９０％を超える、部分的障害物面領域を有し得る。部分的障害物１４０は、スパウト出口１００から約１ｍｍ〜約４０ｍｍ、又は任意で１０ｍｍ〜約３０ｍｍ、又は任意で約１５ｍｍ〜約２５ｍｍに位置し得るか、あるいはスパウト出口１００から任意で約２０ｍｍ、又は任意でスパウト出口１００から約１ｍｍ〜約６ｍｍ、又は任意で約１ｍｍ〜４ｍｍに位置し得る。
【００３２】
部分的障害物１４０の少なくとも一部分は、スパウト出口１００を通ってスパウト入口９０と直交する真っ直ぐな長手方向軸線Ｌと交差し得る。そのように構成された場合、ユーザーがスパウト出口１００を通して見たとき（取付体２００の外側から、上流方向を見て）、部分的障害物１４０の少なくとも一部が、スパウト入口９０の視界を遮るか又は部分的に遮る場合がある。スパウト８０は、真っ直ぐな長手方向軸線Ｌがスパウト壁部１１０と交差することなく通過し得る真っ直ぐなスパウトであり得る。任意で、スパウト８０は、真っ直ぐな長手方向軸線Ｌがスパウト壁部１１０と交差することなくスパウト８０を通過することができないように湾曲され得る。
【００３３】
スパウト８０は、スパウト入口反転部１２０からスパウト出口反転部１３０まで延びる反転内部輪郭２５０を有し得る。反転内部輪郭２５０は、スパウト入口９０とスパウト出口１００との間の位置におけるスパウト８０の反転である。部分的障害物１４０は、反転内部輪郭２５０に沿って存在し得る。このように構成されると、部分的障害物１４０は、スパウト入口９０とスパウト出口１００との間に存在し得る。液体組成物５０がスパウト８０から分配されるとき、部分的障害物１４０はスパウト８０の底部に位置し得る。スパウトの底部又はその近くにおける液体組成物５０の流れの流線は、部分的障害物１４０を越えて及び／又は回り込んで進路変更され、それにより、部分的障害物１４０が存在しないスパウト８０と比較して、流れに対する抵抗が増加することになる。
【００３４】
任意で、部分的障害物１４０は、逆側内部輪郭２５５に沿って存在してもよい。逆側内部輪郭は、パイプの内部の頂部であり、反転内部輪郭２５０の反対側である。そのような構成により、スパウト８０からの注ぎがより早く開始され得る。そのような構成では、部分的障害物１４０は、スパウト壁部１１０の内部で、タイマー１９０と同じ側のスパウト８０の内部にあり得る。
【００３５】
部分的障害物１４０は、スパウト入口９０に向かって実質的に平坦な表面９９を呈し得る。実質的に平坦な表面９９により、部分的障害物１４０の上流側の面が、より空気力学的形状であり得る凸状表面を上流側に呈する場合よりも、より大きな程度で液体流の流線が進路変更されるので、液体流に対する、より大きな抵抗を提供し得る。
【００３６】
部分的障害物１４０は、スパウト出口１００から約５ｍｍ〜約４０ｍｍ離して、任意でスパウト出口１００から約５ｍｍ〜約２０ｍｍ離して配置され得る。
【００３７】
一般に、容器１０からの液体組成物５０の所望の分配速度は、約１０ｍＬ／秒〜約６０ｍＬ／秒、任意で約１５ｍＬ／秒〜約２５ｍＬ／秒である。
【００３８】
取付体本体７０には、ドレインバック機構が設けられ得る。ドレインバック機構は、消費者が容器本体２０からの分配を終えたときに、スパウト出口１００からの滴を捕捉するのに実用的であり得る。ドレインバック機構は、少なくとも部分的にスパウト８０の周囲に延び、スパウト８０から離れるように外向きに延びる、フロア２１０を備え得る。ドレインバック機構は、スパウト８０とチャネル壁部２２０との間にドレインバックチャネル２３０を画定するように、スパウト入口９０から離れる方向にフロア２１０から延びる、チャネル壁部２２０を更に備え得る。フロア２１０は、スパウト入口９０と流体連通しているエントランス１６０又は穴２４０に向かって傾斜され得る。エントランス１６０又は穴２４０は、取付体２００又は取付体本体７０の内部を介してスパウト入口９０と流体連通され得る。エントランス１６０又は穴２４０は、スパウト出口１００を通る経路以外の経路を介して、又は取付体本体７０の外部を回り込んで、スパウト入口９０と流体連通し得る。フロア２１０は、潤滑面６０又は周辺取付具２０２又は取付面２０５に対して、水平から約５度〜約４５度の角度で傾斜し得る。ドレインバックチャネル２３０は、スパウト８０の外部にあるものとして説明され得る。ドレインバックチャネル２３０は、スパウト出口１００の下方にあるものとして更に説明され得る。ドレインバックチャネル２３０は、スパウト８０とチャネル壁部２２０との間に配置されているものとして更に説明され得る。
【００３９】
ドレインバック機構はまた、通気口１５０として機能し得る。任意で、ドレインバック機構は、通気口１５０とは別個であってもよい。
【００４０】
スパウト８０は、スパウト入口９０とスパウト出口１００との間で、潤滑面６０に平行な複数の完全内部区画２４５を備え得る（図４）。部分的障害物１４０を含まない完全内部区画２４５は、スパウト入口９０からスパウト出口１００まで、完全内部区画領域が減少し得る。部分的障害物１４０を含まない完全内部区画２４５は、部分的障害物１４０が存在しないかのように完全内部区画２４５が測定されることを意味する。すなわち、部分的障害物１４０の一部によって占有され得る完全内部区画２４５のいずれの部分も差し引かれない。むしろ、完全内部区画２４５は、部分的障害物１４０が存在しないかのように測定される。例えば、完全内部区画２４５が円形の区画であり、その区画の一部が部分的障害物１４０の一部によって占められている場合、完全内部区画領域は、円周率に完全内部円形区画の直径を乗じたものである。そのような構造は、スパウト入口９０からスパウト出口１００までの位置に応じてスパウト８０の内部が先細になっている、スパウト８０の全体構造を提供する。これは、使用時に、スパウト入口９０からスパウト出口１００までスパウト８０を通る全流量を維持するのに役立ち得る。
【００４１】
スパウト８０は、切頭斜円錐体、切頭直円錐体、切頭一般化斜錐体、及び切頭一般化直錐体からなる群から選択される形状を有し得る。スパウト８０は、実質的に円錐形状であり得る。スパウト８０は、先細の形状であり得る。
【００４２】
スパウト出口１００は、スパウト出口周囲長２６０を有する（図５）。スパウト出口周囲長２６０は、スパウト出口１００の内部周囲長である。スパウト出口周囲長２６０はスカラー量である。スパウト出口周囲長２６０は、約６ｍｍ〜約６０ｍｍ、任意で約８ｍｍ〜約３０ｍｍ、任意で約１０ｍｍ〜約２０ｍｍであり得る。スパウト出口周囲長２６０が小さいほど、液体組成物５０がスパウト出口１００を出た後の流れはより絞り込まれることになる。スパウト出口１００は、円形又は実質的に円形であって、約２５ｍｍ〜約１００ｍｍ、任意で約３０ｍｍ〜約８０ｍｍ、任意で約３５ｍｍ〜約７５ｍｍの直径を有し得る。非円形のスパウト出口１００については、前述の直径は有効直径あって、有効直径は、スパウト出口１００において同じ開放領域を有する円の直径であり得る。スパウトは、略円形又は円形の開放完全内部区画２４５を有し得る。スパウト８０は、楕円状の円錐台形状であり得る。
【００４３】
取付体本体７０は、通気口１５０を備え得る（図６）。通気口１５０は、スパウト出口１００の外部にある通気口エントランス１６０と、通気口エントランス１６０からイグジット１８０まで延びる通気口壁部１７０と、を備え得る。すなわち、通気口エントランス１６０は、スパウト出口１００から離隔され得る。通気口エントランス１６０は、約５ｍｍ２〜約５０ｍｍ２、任意で約２０ｍｍ２〜約３０ｍｍ２、任意で約２８ｍｍ２の面積を有し得る。通気口エントランス１６０は、容器本体２０内の空気圧が周囲の空気圧と等しくなるように、液体組成物５０が容器本体２０から完全に出される際に、十分な量の空気が容器本体２０の中へと流れて戻るのに十分に大きくありさえすればよい。
【００４４】
イグジット１８０は、スパウト入口９０と流体連通し得る。イグジット１８０は、取付体２００又は取付体本体７０の内部を介して、スパウト入口９０と流体連通し得る。イグジット１８０は、スパウト出口１００を通る経路以外の経路を介して、又は取付体本体７０の外部を回り込んで、スパウト入口９０と流体連通し得る。通気口１５０は、外部環境からの空気が容器本体２０の中へと入って、容器本体２０から分配される液体組成物５０と置き換わるための経路を提供する。通気口１５０は、スパウト出口１００からの液体組成物５０の流れが容器本体２０の通気を妨げないように、スパウト出口１００から分離され得る。スパウト出口１００からの液体組成物５０の定常流と、容器本体２０の中へと戻る空気の定常流と、をもたらすために、スパウト出口１００からの液体流は、通気口１５０の通気口エントランス１６０の中への空気進入とは無関係であり得る。
【００４５】
部分的障害物１４０からスパウト出口１００への距離よりも、部分的障害物１４０からイグジット１８０への距離が大きい場合がある。これは、通気口１５０を通過してイグジット１８０から抜け出る空気が、部分的障害物１４０を越える液体組成物５０の流れに干渉する影響を低減させるのに役立ち得る。これはひいては、部分的障害物１４０を越えてスパウト出口１００から流出する液体組成物５０を十分に安定した流速で供給する助けとなり得る。部分的障害物１４０を越える流れを、通気口１５０を通って容器に入る気泡から分離することにより、容器本体２０に入る空気が、容器本体２０から流出する液体組成物５０の流速に及ぼす影響が低減される。
【００４６】
イグジット１８０は、部分的障害物１４０から、スパウト出口周囲長２６０の約０．５倍を超える長さ離れている場合がある。これはまた、スパウト出口１００から排出されている液体組成物５０から、容器本体２０の中へと戻る空気の通気を分離する助けとなり得る。イグジット１８０と部分的障害物１４０との空間的関係は、部分的障害物１４０とイグジット１８０の内部壁部との間の最小直線距離であると解釈される。
【００４７】
部分的障害物１４０からイグジット１８０への距離は、部分的障害物１４０からスパウト出口１００への距離の約１．５倍を超える場合がある。このことは、通気されて容器本体２０の中へと戻されている空気が、部分的障害物１４０を越えて容器本体２０から分配されている液体の流れにほとんど又は全く影響を及ぼさないように、部分的障害物１４０とイグジット１８０との間に十分な距離を設けることによって、有益となり得る。
【００４８】
イグジット１８０はイグジット周囲長２７０を有し得る。イグジット周囲長２７０は、イグジット１８０における通気口壁部１７０の内側周囲長である。スパウト出口周囲長２６０は、イグジット周囲長２７０の約２倍を超える場合がある。イグジット周囲長２７０は、約０．１ｍｍ〜約１２ｍｍであり得る。イグジット周囲長２７０は、約１ｍｍ〜約１２ｍｍであり得る。イグジット周囲長２７０は、約２ｍｍ〜約４ｍｍであり得る。イグジット周囲長２７０は、約３．８ｍｍであり得る。より小さいイグジット周囲長２７０が、２重注入の可能性を低減させるために実用的であり得、２重注入は、液体組成物５０がスパウト出口１００及び通気口のエントランス１６０から排出される状況である。液体組成物５０の毛管力は、イグジット１８０の中への進入に抵抗し得る。スパウト出口周囲長２６０は、約１ｍｍ〜約６０ｍｍ、任意で約１ｍｍ〜約２０ｍｍ、任意で約２ｍｍ〜約１０ｍｍであり得る。一般に、液体組成物５０の粘度が低いほど、イグジット１８０を小さくすべきである。
【００４９】
スパウト出口周囲長２６０とイグジット周囲長２７０との比は、約２：１〜約２０：１であり得る。出口周囲長２６０をイグジット周囲長２７０よりもはるかに大きくすることにより、液体組成物５０がスパウト出口１００及び通気口１５０のエントランス１６０の両方から流出する可能性が低減され得る。液体組成物５０中の毛管力が通気口１５０のイグジット１８０の中への液体組成物５０の進入に抵抗することになるので、イグジット周囲長２７０が小さいほど、液体組成物５０製品が通気口１５０に進入する可能性はより低くなる。スパウト出口周囲長２６０とイグジット周囲長２７０との比は、約３：１〜約１５：１、任意で約３：１〜約５：１、又は任意で約１０：１であり得る。液体組成物５０の動粘度が高いほど、スパウト出口周囲長２６０とイグジット周囲長２７０との比は大きくなり得る。イグジット１８０は、約１ｍｍ２〜約３０ｍｍ２、任意で約２ｍｍ２〜約２０ｍｍ２、任意で約３ｍｍ２〜約１０ｍｍ２、任意で約７ｍｍ２の面積を有し得る。イグジット１８０は、約０．５ｍｍ〜約５ｍｍ、任意で約１ｍｍ〜約３ｍｍの直径を有し得る。
【００５０】
取付体本体７０の底面図を図７に示す。図７に示すように、部分的障害物１４０は、上流方向に向かって傾斜している平板であり得る。部分的障害物１４０は、部分的障害物１４０をスパウト壁部１１０に接続する支持ストラット１４２によって支持され得る。
【００５１】
タイマー
容器１０及び取付体２００は、取付体本体７０と係合されたタイマー１９０を更に備え得る。タイマー１９０は、イグジット１８０、スパウト出口１００、及び／又はイグジット１８０及びスパウト出口１００の両方から液圧的に分離され得る。そうでなければ、タイマー１９０は、タイマー１９０とスパウト出口１００との間に流体連通が存在しなくてよい。タイマー１９０は、取付体本体７０と係合され得る。タイマー１９０は、取付体本体７０の外側表面１６５上に取り付けられることによって、取付体本体７０と係合され得る。スパウト出口１００を出る液体組成物５０をユーザーが見ることができること、及びタイマー１９０がスパウト出口１００と同じ視野内にあることが望ましい場合がある。任意で、タイマー１９０は、容器本体２０に接合されることによって取付体本体７０と係合され得る。タイマー１９０は、タイマー１９０と取付体本体７０とを接続する要素に接合されることによって、取付体本体７０に接合され得る。
【００５２】
フロータイマー
タイマー１９０は、供給元リザーバ２８０を備え得る（図８）。タイマー１９０は、収集リザーバ２９０を更に備え得る。収集リザーバ２９０は、内側空間３００と外部表面３１０とを有し得る。内側空間３００の少なくとも一部分は、外部表面３１０から視認可能であり得る。タイマーオリフィス３２０が、供給元リザーバ２８０と収集リザーバ２９０とを接続し得る。タイマーオリフィス３２０は、供給元リザーバ２８０と収集リザーバ２９０との間に流体連通をもたらすと考えられ得る。供給元リザーバ２８０と収集リザーバ２９０は、収集リザーバ２９０と供給元リザーバ２８０とを接続する開口部３３０を介して更に互いに接続され得る。開口部３３０は、タイマーオリフィス３２０から離れて配置され得る。タイマーオリフィス３２０は、約０．２ｍｍ〜約１．２ｍｍ、任意で約０．８ｍｍの直径を有し得る。開口部３３０は、約０．２ｍｍ〜約４ｍｍ、任意で約１．６ｍｍの直径を有し得る。開口部３３０は、液体組成物５０が分配された後に、収集リザーバ２９０から供給元リザーバ２８０へと戻るように流体連通する経路を提供し得る。タイマーオリフィス３２０は、約０．０１ｍｍ〜約１ｍｍの周囲長を有し得る。タイマーオリフィス３２０は、約０．０１ｍｍ〜約０．７ｍｍの周囲長を有し得る。
【００５３】
タイマーオリフィス３２０は、特定の流量範囲のタイマー液体４０５を提供するように大きさ及び寸法が定められ得る。タイマーオリフィス３２０の開放領域は、容器本体２０から分配する液体組成物５０を提供するよう設計者が望む時間の長さに基づいて設定され得る。スパウト出口１００からの液体組成物５０の流量は、スパウト入口９０及びスパウト出口１００の寸法及び形状、スパウト入口１００に至る取付体２００の幾何学的形状、容器本体２０の開放端部４０の幾何学的形状、部分的障害物１４０の幾何学的形状、並びに液体組成物５０の全ヘッドの関数であるので、設計者は、分配される液体組成物５０の所望の量を選び、ある量のそのような液体がスパウト出口１００から出るのに要する時間の長さを測定することができる。次いで、設計者は、供給元リザーバ２８０から収集リザーバ２９０へのタイマー液体４０５の流れが、容器本体２０から分配される液体組成物５０の量のインジケータとなり得るように、タイマーオリフィス３２０の開放領域のサイズを計算することができる。設計者は、タイマー１９０内に供給されるタイマー液体４０５の量を決定することもできる。
【００５４】
タイマー液体４０５が供給元リザーバ２８０から収集リザーバ２９０へと流れる際に、収集リザーバ２９０内のタイマー１９０内にある空気、又は他のいかなる気体も、収集リザーバ２９０にタイマー液体４０５が充填し始める際に、開口部３３０を通って変位され得る。収集リザーバ２９０は、約０．４ｃｍ３〜約２ｃｍ３、任意で約０．５ｃｍ３〜約１ｃｍ３、任意で約０．７８ｃｍ３の体積を有し得る。
【００５５】
取付体本体７０が第２の姿勢にある状態で、タイマー液体４０５が所望の計量表示部３４０に到達すると、ユーザーは、取付体本体７０を第２の姿勢から第１の姿勢に戻すように移行させることができる。その時、タイマー液体４０５は、開口部３３０を通って供給元リザーバ２８０の中へと戻るように排出されるか、又はタイマーオリフィス３２０を通って戻るように排出され得る。タイマー液体４０５は、分配されている液体組成物５０から分離されたままであり、使用時に、ループ状に、供給元リザーバ２８０から、タイマーオリフィス３２０を通り、収集リザーバ２９０の中へと計量表示部３４０のレベルまで移動し、開口部３３０を介して収集リザーバ２９０から出て、供給元リザーバ２８０の中へと戻るように移動し得る。
【００５６】
タイマー液体４０５は、固定体積又は固定質量を有し得る。タイマー液体４０５の固定体積は、約０．５ｃｍ３〜約２ｃｍ３、任意で約１．２５ｃｍ３であり得る。タイマー液体４０５は、供給元リザーバ２８０及び収集リザーバ２９０のうちの一方又は両方に収容され得る。タイマー液体４０５、供給元リザーバ２８０、及び収集リザーバ２９０は、スパウト入口９０又はスパウト出口１００と流体連通していない。これにより、タイミング特徴部と、容器本体２０から分配される液体組成物５０と、の機能的分離が可能となる。容器本体２０からの液体組成物５０の流れは動力学的に複雑なので、容器本体２０の内容物と液体連通しているタイマーを使用しようと試みることは、容器本体２０からの複雑な液体流の様式によって複雑となる。更に、容器本体２０の中へと空気を通気して戻すことは、分配される液体組成物５０の体積の測定を複雑にし得る。タイマー／タイマー液体４０５が、スパウト入口９０又はスパウト出口１００と流体連通している液体組成物５０分配システムは、特定の量の液体組成物５０を供給するための所望のレベルの正確度又は精度を有していない。例えば、技術的アプローチの１つは、スパウト出口９０に向かっている液体組成物５０の一部をタイマーへと進路変更させることであってよく、そこで液体組成物５０は、分配された体積のインジケータとしてタイマー内に蓄積される。このタイプのシステムは、液体組成物５０をスパウト出口９０から出してタイマーへと比例的にルーティングすることの複雑さゆえに、所望の程度ほどは正確ではない。更に、比例的ルーティングは、注ぎ角度の関数であり得、これは、分配される液体組成物５０の体積又は質量の精度を低減させ得る。
【００５７】
タイマー液体４０５は、グリセリン、水、アルコール、又は約０℃〜約６０℃の温度で液体である他の物質を含み得る。
【００５８】
取付体本体７０は、図８のようにスパウト出口１００がスパウト入口９０の上方にある第１の姿勢と、図９のようにスパウト入口９０がスパウト出口１００の上方にある第２の姿勢と、を有すると考えることができる。取付体２００／取付体本体７０が第１の姿勢にあるとき、収集リザーバ２９０にはタイマー液体４０５が存在しなくてもよい。又は、タイマー液体４０５が収集リザーバ２９０内に存在する場合、収集リザーバ２９０のその部分は、消費者がタイマー液体４０５を見ることができないように、覆い隠されてもよいし、不透明にされてもよい。取付体本体７０の第１の姿勢は直立位置にあり、この位置では、取付体本体７０を備える取付体２００は、取付体本体７０が容器本体２０の上方に位置するように、その閉鎖端部３０の上に静置された容器本体２０に取り付けられている。タイマー１９０は、取付体２００／取付体本体７０が第１の姿勢にあるか第２の姿勢にあるかにかかわらず、ユーザーに視認可能であり得る。
【００５９】
取付体本体７０が取付体本体７０が第２の姿勢にあるとき、取付体本体７０が第１の姿勢にあるときよりも、より多くの量のタイマー液体４０５が収集リザーバ２９０内にあり得る。更に、第２の姿勢では、タイマー液体４０５は、収集リザーバ２９０の外部表面３１０から視認可能であり得る。取付体本体７０の第２の姿勢は、スパウト出口１００がスパウト入口９０の下方にあるような傾いた位置にある。この位置において、液体組成物５０がスパウト出口１００から分配され得る。第２の姿勢は、消費者が容器本体２０を傾けるか又はひっくり返して容器本体２０から液体組成物５０を分配するときの取付体本体７０の位置に対応する。
【００６０】
第１の姿勢においては、スパウト出口１００がスパウト入口９０の上方にあり得る。第２の姿勢においては、スパウト入口９０がスパウト出口１００の上方にあり得る。取付体本体７０が第１の姿勢にあるとき、タイマーオリフィス３２０は開口部３３０の上方にあり得る。取付体本体７０が第１の姿勢から第２の姿勢に移行された場合、タイマーオリフィス３２０は、開口部３３０の下に存在する場合があり、取付体本体７０が第１の姿勢から第２の姿勢へと移行されるにつれて、タイマー液体４０５は移動し始め、タイマーオリフィス３２０を通って供給元リザーバ２８０から収集リザーバ２９０へと移動し続ける。タイマー液体４０５がタイマーオリフィス３２０の上方に存在し、タイマーオリフィス３２０の供給元リザーバ２８０側の全ヘッドが、タイマーオリフィス３２０の収集リザーバ２９０側の全ヘッドよりも大きい限り、タイマー液体４０５は、供給元リザーバ２８０から収集リザーバ２９０へと移動することになる。タイマーオリフィス３２０は、約０．０１ｍｍ〜約４ｍｍの周囲長を有し得る。タイマーオリフィス３２０は、約０．０１ｍｍ〜約１ｍｍの周囲長を有し得る。タイマーオリフィス３２０は、約０．０１ｍｍ〜約０．７ｍｍの周囲長を有し得る。タイマーオリフィス３２０の周囲長及び形状は、タイマー液体４０５が、容器本体２０から液体組成物５０を注ぐ消費者によって観察及び追跡され得る流量で、タイマーオリフィス３２０を通って流れるように選択され得る。流量は十分に高くなければならず、また、スパウト出口１００の大きさに関し、注ぎの持続時間が長過ぎてユーザーにとって不快にならないように設定される必要がある。注ぎの持続時間は、約２秒〜約１０秒、任意で約４秒〜約７秒であり得る。
【００６１】
ユーザーが液体組成物５０を分配するとき、液体組成物５０はスパウト出口１００から流れ得る。流れを誘起させるために、ユーザーは、取付体２００／取付体本体７０が係合されている容器本体２０を傾けて、取付体２００／取付体本体７０を第１の姿勢から第２の姿勢へと移行させる。タイマー１９０は、分配している間に、スパウト出口１００からの液体組成物５０の流動とタイマー１９０が両方ともユーザーから視認可能となるように配置され得る。所望の計量表示部３４０のレベルにタイマー液体４０５が達して、所望の量の液体組成物５０が分配されたことが示されたら、ユーザーは取付体本体７０を直立させて、取付体本体７０を第２の姿勢から再び第１の姿勢に移行させ得る。収集リザーバ２９０内に蓄積されたタイマー液体４０５は、開口部３３０を介して供給元リザーバ２８０の中へと流れて戻り得る。したがって、タイマー液体４０５は依然として、液体組成物５０と分離された状態、又は液圧的に独立した状態、又は液体組成物５０と流体連通していない状態にある。すなわち、タイマー液体４０５は、液体組成物５０から切り離されている。
【００６２】
収集リザーバ２９０は、外部表面３１０上で視認可能な少なくとも１つの計量表示部３４０を備え得る。計量表示部３４０は、非限定的な例として、外部表面３１０の隆起部分、外部表面３１０上の印刷マーク、収集リザーバ２９０の着色部分若しくは染色部分、又は収集リザーバ２９０の内部表面上の印刷マークであり得る。計量表示部３４０は、液体組成物５０の推奨される計量値に対応する、スパウト出口１００から分配される液体組成物５０の体積を示し得る。複数の計量表示部３４０は、収集リザーバ２９０の一部として設けられ得る。
【００６３】
取付体２００は、図１０に示すような非限定的な例として、スパウト出口１００と係合しているか又はスパウト出口１００を覆うクロージャ３６０を更に備え得る。任意で、クロージャ３６０は、スパウト出口１００、又は取付体本体７０の他の部分と係合して、スパウト出口１００及びドレインバックチャネル２３０／通気口１５０の両方を閉じ得る。クロージャ３６０は、容器本体２０が意図せずに傾いた場合に、容器本体２０からの液体組成物５０の漏出を防止するのに役立つ。クロージャ３６０は、ヒンジ式クロージャ３６０であり得る。任意で、ヒンジ式クロージャ３６０は、スパウト出口１００が閉鎖される位置にクロージャ３６０があるときにタイマー１９０が視認可能な窓３６５を有し得る。窓３６５は、容器１０が店舗又はオンラインで消費者に提示されるとき、取付体２００がタイマー１９０を有することを消費者が観察することを可能にするために実用的であり得る。窓３６５がなければ、容器１０を使用する前には、タイマー１９０の存在は消費者には明らかでない場合がある。窓３６５は、クロージャ３６０内の開口部であり得る。任意で、窓３６５は、クロージャ３６０の半透明な部分であり得る。
【００６４】
クロージャ３６０は、１つ以上のプラグシール３７０を備え得る。プラグシール（単数又は複数）３７０は、スパウト出口１００、及び／又はドレインバックチャネル２３０／通気口１５０を閉じることができる。
【００６５】
密度タイマー
タイマー１９０は、タイマー液体４０５中に配置されたタイマー要素４００の密度と、タイマー液体４０５中でのタイマー要素４００の重力又は浮力のいずれかによって駆動される、タイマー液体４０５を通るタイマー要素４００の移動と、の間のコントラストの原理で動作するタイマーであり得る（図１１）。タイマー１９０の動作原理は、タイマー液体４０５よりも密度が高いタイマー要素４００が、タイマー液体４０５を通って所定の距離を重力下で落下するのにかかる時間量であり得る。別の選択肢では、タイマー１９０の動作原理は、タイマー液体４０５よりも密度が低いタイマー要素４００が、タイマー液体４０５を通って所定の距離を浮力下で上昇するのにかかる時間量であり得る。ストークスの法則又は他の分析若しくは計算手法を使用して、タイマー液体４０５を通るタイマー要素４００の移動をモデル化して、タイマー１９０の構成要素を適切なサイズ及び寸法にすることができる。
【００６６】
タイマー１９０は、第１の密度を有するタイマー液体４０５と、第２の密度を有するタイマー要素４００と、を収容するタイマーチャンバ４１０を備え得る。第２の密度は、第１の密度と異なり得る。タイマー液体４０５とタイマー要素４００との間の密度のコントラストは、タイマー要素４００がタイマー液体４０５内で沈む傾向、又はタイマー液体４０５内で浮く傾向のいずれかを提供する。
【００６７】
タイマー要素４００は、タイマー液体４０５を通って移動可能であり得る。タイマー要素４００の移動は、非限定的な例として、タイマー要素４００に対する浮力又は重力によって駆動され得る。
【００６８】
タイマー要素４００は、タイマーチャンバ４１０内にある。タイマー要素４００は、タイマーチャンバ４１０の外側から視認可能である。これにより、液体組成物５０がスパウト出口１００から分配される際に、取付体２００のユーザーが、タイマーチャンバ４１０内のタイマー要素４００の移動を見ることができるようになる。
【００６９】
１つ以上の計量表示部３４０が、タイマーチャンバ４１０上に又はタイマーチャンバ４１０に隣接して配置され得る。計量表示部３４０は、印刷された線であり得る。計量表示部３４０は、タイマーチャンバ４１０上又はタイマーチャンバ４１０内にある、隆起したマーク、例えば、線、ドット、矢印など、又は凹部、例えば、エッチングマーク、ディボット、矢印などであり得る。用量の所望の体積若しくは質量が単一の値を有するか、又はそのような用量の整数倍である場合、単一の計量表示部３４０が存在し得る。液体組成物５０の用途に応じて、用量の所望の体積若しくは質量が１つを超えて存在する場合、複数の計量表示部３４０が存在し得る。例えば、計量表示部３４０を、それぞれ小用量、中用量、及び大用量を表すＳ、Ｍ、Ｌとするか、又は例えば、１、２、及び３として番号付けすることができる。
【００７０】
タイマー液体４０５は、水であり得る。タイマー液体４０５中の生物成長を低減又は防止するために、タイマー液体４０５に抗菌物質を加えることができる。タイマー液体４０５は、固有の抗菌特性を有する液体であり得る。タイマー液体４０５は、エタノール、メタノール、及びこれらの混合物であり得る。タイマー液体４０５は、ヒマワリ油、コーン油、オリーブ油、モーター油などの油であってもよい。タイマー液体４０５は、タイマー要素４００が重力又は浮力から印加された力の下でタイマー液体４０５を通って移動することができるように、十分に低い粘度を有することのみが必要である。
【００７１】
タイマー要素４００は球体であり得る。タイマー要素４００は、タイマー液体４０５の密度よりも大きい密度を有し得る。そのような構成では、取付体２００又は取付体本体７０が、液体組成物５０が分配されていない第１の姿勢にあるとき、タイマー要素４００は、タイマーチャンバ４１０の第１の端部４１５に静止していることになる。取付体２００／取付体本体７０が第１の姿勢から第２の姿勢に移行する場合であって、第２の姿勢が液体組成物５０が容器１０から分配されるときの取付体２００／取付体本体７０の位置である場合、タイマー要素４００は、タイマー液体４０５を通って落下して、１つ以上の計量表示部３４０を通過する及び／又はそれに接近し得る。タイマー要素４００はタイマー液体４０５を通って、第１の端部４１５から第２の端部４２０に向かって、そして計量表示部３４０に向かって、又は計量表示部３４０を通過して、移動することができる。タイマー要素４００がタイマー液体４０５を通って落下する際に、計量表示部３４０に対するタイマー要素４００の位置を取付体２００のユーザーが観察すると、ユーザーは、タイマー要素４００が、選択された計量表示部３４０にあるか又はそれを過ぎたときに取付体２００を垂直に起こすことによって、液体組成物５０の分配を停止することを決定することができる。
【００７２】
本明細書に記載されるように、タイマーチャンバ４１０は、第１の端部４１５と、第１の端部４１５の反対側にある第２の端部４２０と、第１の端部４１５を第２の端部４２０に接続するタイマーチャンバ壁部４２５と、を有し得る。タイマーチャンバ壁部４２５は、タイマー液体４０５を収容するタイマーチャンバ４１０を画定する。
【００７３】
タイマー要素４００はまた、浮力によって駆動されたときに移動することができる。そのような構成では、タイマー要素４００は、タイマー液体４０５よりも低い密度を有し得る。取付体２００／取付体本体７０が第１の姿勢にあるとき、タイマー要素４００はタイマーチャンバ４１０の第２の端部４２０に静止していることになる。取付体２００／取付体本体７０が第１の姿勢から第２の姿勢へと移行するとき、タイマー要素４００はタイマー液体４０５を通って上昇して、１つ以上の計量表示部３４０を通過する及び／又はそれに接近し得る。タイマー要素４００はタイマー液体４０５を通って、第２の端部４２０から、第１の端部４１５に向かって又は第１の端部４１５に、そして計量表示部３４０に向かって又は計量表示部３４０を通過して、移動することができる。ユーザーは、タイマー要素４００が選択された計量表示部３４０にあるか又はそれを過ぎたときに、取付体２００を直立させることによって、液体組成物５０の分配を停止することを決定することができる。
【００７４】
タイマー要素４００の密度は、タイマー要素４００の質量を、移動したタイマー液体４０５の体積で除算したものである。タイマー要素４００は、固体であってもよい。例えば、取付体２００／取付体本体７０が第２の姿勢にあるときに、タイマー要素４００が重力下で移動する実施形態については、タイマー要素４００は、タイマー液体４０５の比重若しくは密度よりも大きい比重若しくは密度を有する、非多孔質固体プラスチック、セラミック、ワックス、若しくは金属、又はその他の材料であり得る。任意で、タイマー要素４００は、タイマー液体４０５の密度よりも大きく、移動されたタイマー液体４０５の体積当たりの十分な質量を有する、多孔質固体プラスチック、セラミック、若しくは金属、又はその他の材料であってもよい。
【００７５】
取付体２００／取付体本体７０が第２の姿勢にあるときに、タイマー要素４００がタイマー要素４００に作用する浮力下で移動する実施形態については、タイマー要素４００は、タイマー液体４０５の密度よりも小さい密度を有する、多孔質固体プラスチック、固体プラスチック、セラミック、ワックス、若しくは金属、又はその他の材料であり得る。タイマー要素４００は、中空であり得る。タイマー要素４００は、タイマー液体４０５の比重又は密度よりも小さい比重又は密度を有する固体材料であってもよい。例えば、タイマー要素４００は、固体プラスチックボールであり得る。
【００７６】
タイマー要素４００は、液体であってもよい。例えば、取付体２００／取付体本体７０が第２の姿勢にあるときに、タイマー要素４００が重力下で、第１の端部４１５から第２の端部４２０に向かって移動することが意図される場合、タイマー要素４００は、タイマー液体４０５の密度よりも大きい密度を有する、油、又は他の液体材料であり得る。例えば、取付体２００／取付体本体７０が第２の姿勢にあるときに、タイマー要素４００が、タイマー要素４００に作用する浮力下で移動することが意図される場合、タイマー要素４００は、タイマー液体４０５の密度よりも小さい密度を有する、油、又は他の液体材料であってもよい。様々な油及び他の液体材料が、様々な密度で利用可能であり、タイマー要素４００とタイマー液体４０５の密度の所望のコントラストが提供され得る。このような材料は、好適には、塊に留まる傾向がある材料であり得る。
【００７７】
好適には、タイマー要素４００は、タイマーチャンバ４１０の外側から視認可能であり得る。取付体２００のユーザーは、液体組成物５０が取付体２００から分配される際に、タイマー要素４００が１つ以上の計量表示部３４０に向かって又はそれを過ぎて移動するのを見ることができる。タイマー要素４００の視認性を向上させるために、タイマー要素４００とタイマー液体４０５との間に色のコントラストが存在し得る。例えば、タイマー液体４０５は、約９８重量％〜約１００重量％の水であり得る。タイマー要素４００は、１ｇ／ｃｍ３より大きい密度又は正味密度を有する赤色固体プラスチックボールであり得る。
【００７８】
タイマーチャンバ壁部４２５は、透明なプラスチック材料から作製され得る。例えば、タイマーチャンバ壁部４２５は、アクリル、ポリプロピレン、ポリエチレン、ポリエチレンテレフタレートなどの材料で形成することができる。
【００７９】
タイマー１９０又はタイマー液体４０５はイグジット１８０及びスパウト出口１００から水力学的に分離されているので、本明細書に記載されるようなタイマー１９０を提供することは実用的であり得る。換言すると、タイマー１９０又はタイマー液体４０５は、タイマー１９０とイグジット１８０及びスパウト入口９０との間に流体連通が存在しなくてもよい。タイマー１９０は、取付体本体７０と係合され得る。タイマー１９０は、取付体本体７０の外側表面１６５上に取り付けられることによって、取付体本体７０と係合され得る。タイマー１９０は、容器本体２０に接合されることによって、取付体本体７０と係合され得る。タイマー１９０は、タイマー１９０と取付体本体７０とを接続する要素に接合されることによって、取付体本体７０に接合され得る。
【００８０】
タイマー液体４０５は、固定体積を有し得る。タイマー液体４０５の固定体積は、約０．５ｃｍ３〜約４ｃｍ３、任意で約０．５ｃｍ３〜約２ｃｍ３であり得る。
【００８１】
タイマー液体４０５は、イグジット１８０、スパウト入口９０、又はスパウト出口１００と流体連通していない。又は、換言すると、タイマー液体４０５は、イグジット１８０、スパウト入口９０、又はスパウト出口１００から流体的に分離され得る。これにより、タイミング特徴部と、容器本体２０から分配される液体組成物５０との機能的分離が可能となる。容器本体２０からの液体流は動力学的に複雑なので、容器本体２０の内容物と液体連通しているタイマー１９０を使用しようと試みることは、容器本体２０からの複雑な液体流の形態によって複雑となる。更に、容器本体２０の中へと空気を通気して戻すことは、分配される液体組成物５０の体積の測定を複雑にし得る。取付体２００／取付体本体７０は、スパウト出口１００がスパウト入口９０の上方にある第１の姿勢と、スパウト入口９０がスパウト出口１００の上方にある第２の姿勢と、を有すると考えることができる。タイマー要素４００がタイマー液体４０５中で浮力がある場合、取付体２００／取付体本体７０が第１の姿勢にあるとき、タイマー要素４００はタイマーチャンバ４１０の第２の端部４２０又はその近くにあることになる。タイマー要素４００が、タイマー液体４０５よりも大きい密度を有する場合、取付体２００／取付体本体７０が第１の姿勢にあるとき、タイマー要素４００はリザーバ４１０の第１の端部４１５又はその近くにあることになる。取付体２００／取付体本体７０の第１の姿勢は直立位置にあり、この位置では、取付体２００／取付体本体７０は、取付体２００が容器本体２０の上方にあるように、その閉鎖端部３０上に静置された容器本体２０に取り付けられている。
【００８２】
取付体２００／取付体本体７０の第２の姿勢は、スパウト出口１００がスパウト入口９０の下方にあるような傾いた位置にある。この位置において、液体組成物５０をスパウト出口１００から分配することができる。第２の姿勢は、消費者が容器本体２０を傾けるか又はひっくり返して容器本体２０から液体組成物５０を分配するときの取付体２００／取付体本体７０の位置に対応する。
【００８３】
第１の姿勢においては、スパウト出口１００がスパウト入口９０の上方にあり得る。第２の姿勢においては、スパウト入口９０がスパウト出口１００の上方にあり得る。タイマー液体４０５とタイマー要素４００の密度のコントラストは、タイマー要素４００が、容器本体２０から液体組成物５０を注ぐ消費者によって観察及び追跡され得る流量で、タイマー液体４０５を通って移動するように選定され得る。注ぎの持続時間が、消費者にとって不快にならないように長過ぎることがなく、又は液体組成物５０の不正確な用量の可能性を低減させるために短か過ぎることがないように、移動速度は十分に高く、かつスパウト出口１００の大きさに関して設定される必要がある。注ぎの持続時間は、約２秒〜約１０秒、任意で約４秒〜約７秒であり得る。
【００８４】
タイマーチャンバ４１０、又はタイマーチャンバ４１０に隣接する取付体２００の一部分は、少なくとも１つの計量表示部３４０を備え得る。計量表示部３４０は、タイマーチャンバ壁部４２５の外部表面３１０の隆起部分、タイマーチャンバ壁部４２５の外部表面３１０上の印刷マーク、タイマーチャンバ壁部４２５の着色部分若しくは染色部分、又はタイマーチャンバ壁部４２５の内部表面若しくは外部表面３１０上の印刷マークであり得る。計量表示部３４０は、液体組成物５０の推奨される計量値に対応する、スパウト出口１００から分配される液体の体積を示し得る。複数の計量表示部３４０が設けられ得る。
【００８５】
電子タイマー
タイマー１９０は、姿勢起動電子タイマー１９５（図１２）であり得る。姿勢起動電子タイマー１９５は、タイマー１９０が第１の姿勢から第２の姿勢へと移行したときにタイミング間隔が開始し、タイマー１９０が第２の姿勢から第１の姿勢へと移行したときに停止するタイマーである。電子タイマー１９５は、１つ以上のライト１９７、例えば発光ダイオードを備え得る。ライト１９７は、取付体２００を第１の姿勢から第２の姿勢へと移行させたときからの経過時間が、所望の体積又は質量の液体組成物５０を分配するのに十分であることを示すインジケータであり得る。例えば、姿勢起動タイマー１９５は休止状態にあり得る。取付体２００／取付体本体７０を第１の姿勢から第２の姿勢へと移行させると、姿勢起動電子タイマー１９５のタイミング回路を起動することができ、取付体２００／取付体本体７０が液体組成物５０を分配するための適切な位置にあることを、ライト１９７、例えば緑色発光ダイオードがユーザーに示すことができる。分配される液体組成物５０の体積又は質量に関連する一定期間の後に、ライト１９７はオフになってもよく、及び／又は別のライト１９７、例えば赤色発光ダイオードがオンになり、所望の又は指定された量の液体組成物５０が分配されたこと、またユーザーは取付体２００／取付体本体７０を第２の姿勢から第１の姿勢へと戻すように移行させて分配液体組成物５０の分配を停止させるべきであることをユーザーに示してもよい。この時点で、姿勢起動タイマー１９５は停止してもよい。姿勢起動電子タイマー１９５は、バッテリ給電であっても太陽光発電給電であってもよい。
【００８６】
電子タイマー１９５は、液体組成物５０を分配するための適切な位置に容器本体が傾けられたという可聴指示と、適切な時間が経過して適切な体積の液体組成物５０が分配されたという同じ又は異なる可聴信号と、を提供することができる。
【００８７】
液体組成物５０を分配している容器１０の図を図１３に示す。図１３に示すように、取付体２００／取付体本体７０は第２の姿勢にある。液体組成物５０がスパウト８０から流出している。タイマー液体４０５が、収集リザーバ２９０内に蓄積しており、計量表示部３４０に接近している。容器本体２０から分配された液体組成物５０が、通気口１５０から入っている空気で置き換えられる。イグジット１８０は小さいので、液体組成物５０が通気口１５０に入ることはない。液体組成物５０中の毛管力は、液体組成物５０がイグジット１８０に入ることに対する抵抗をもたらし得、イグジット１８０にある液体組成物５０の全ヘッドは小さくてよい。気泡４３０は容器本体２０に入る。気泡４３０は、容器本体２０から出る液体組成物５０の流れが定常になるように、周囲気圧にて、空気の総量の時間当たり一定比率で容器本体２０に入ることが望ましい。これにより、分配される液体組成物５０の体積を時間の関数にすることができ、時間はタイマー１９０を使用してユーザーによって測定される。
【００８８】
以下に実施例を示す。
Ａ．取付体（２００）であって、
取付体本体（７０）と、
当該取付体本体と係合され取付面（２０５）を有する周辺取付具（２０２）と、
上流にあるスパウト入口（９０）及び下流にあるスパウト出口（１００）、並びに当該スパウト入口から当該スパウト出口へと延びるスパウト壁部（１１０）を有するスパウト（８０）であって、当該スパウト入口はスパウト入口反転部（１２０）を有し、当該スパウト出口はスパウト出口反転部（１２０）を有し、当該スパウト入口反転部と当該スパウト出口反転部とを接続する直線が、当該取付面の上方に約１０度〜約８５度の角度に向いている、スパウト（８０）と、
当該スパウト出口と整列し、当該スパウト出口の上流にある、非可動の部分的障害物（１４０）と、
当該スパウト出口から離隔したエントランス（１６０）と、当該エントランスからイグジット（１８０）へと延びる通気口壁部（１７０）と。を備える通気口（１５０）であって、当該イグジットは当該スパウト入口と流体連通している、通気口（１５０）と、
当該取付体本体と係合されたタイマー（１９０）であって、タイマー液体（４０５）の固定体積を含む閉鎖システムを含むタイマー（１９０）と、を備え、
当該取付体は、少なくとも部分的に当該スパウトの周囲に延び、当該スパウトから離れるように外向きに延びるフロア（２１０）と、チャネル壁部（２２０）であって、当該スパウト入口から離れる方向に当該フロアから延びて当該スパウトと当該チャネル壁部との間にドレインバックチャネル（２３０）を画定する、チャネル壁部と、を更に備え、当該フロアは、当該エントランスに向かって、又は当該スパウト入口と流体連通している穴（２４０）に対して傾斜している、取付体。
Ｂ．当該部分的障害物は、当該スパウト内の当該スパウト入口と当該スパウト出口との間にある、パラグラフＡに記載の取付体。
Ｃ． 当該スパウトは、当該スパウト入口反転部から当該スパウト出口反転部に延びる反転内部輪郭（２５０）を有し、当該部分的障害物は当該反転内部輪郭に沿っている、パラグラフＡ又はＢに記載の取付体。
Ｄ．当該部分的障害物は、当該スパウト入口に向かって実質的に平坦な表面（９９）を呈する、パラグラフＡ〜Ｃのいずれかに記載の取付体。
Ｅ．当該スパウトは、当該スパウト入口と当該スパウト出口との間に、当該取付面に平行な複数の完全内部区画（２４５）を備え、当該完全内部区画は、当該スパウト入口から当該スパウト出口までの完全内部区画領域の、当該部分的障害物による減少を含まない、パラグラフＡ〜Ｄのいずれかに記載の取付体。
Ｆ．当該スパウト出口は、スパウト出口周囲長（２６０）を有し、当該イグジットは、当該部分的障害物から、当該スパウト出口周囲長の約０．５倍超だけ離れており、当該イグジットは、イグジット周囲長を有し、当該スパウト出口周囲長は、当該イグジット周囲長の約２倍超である、パラグラフＡ〜Ｅのいずれかに記載の取付体。
Ｇ．当該スパウト入口反転部と当該スパウト出口反転部とを接続する当該直線が、当該潤滑面の上方に約５０度〜約８０度の角度に向いている、パラグラフＡ〜Ｆのいずれかに記載の取付体。
Ｈ．当該タイマーは、
供給元リザーバ（２８０）と、
内側空間（３００）と外部表面（３１０）とを有する収集リザーバ（２９０）であって、当該内側空間の少なくとも一部分が当該外部表面から視認可能である、収集リザーバ（２９０）と、
当該供給元リザーバと当該収集リザーバとを接続するタイマーオリフィス（３２０）と、
当該収集リザーバと当該供給元リザーバとを接続し、当該タイマーオリフィスから離れて配置された開口部（３３０）と、を備え、
当該タイマー液体は、当該供給元リザーバ及び当該収集リザーバのうちの一方又は両方に収容されている、パラグラフＡ〜Ｇのいずれかに記載の取付体。
Ｉ．当該取付体は、当該スパウト出口が当該スパウト入口の上方にある第１の姿勢と、当該スパウト入口が当該スパウト出口の上方にある第２の姿勢と、を有し、当該取付体が当該第２の姿勢にあるときに、当該取付体が当該第１の姿勢にあるときよりも、より多くの量の当該タイマー液体が当該収集リザーバ内にあり、当該取付体が当該第２の姿勢にあるとき、当該タイマー液体は当該外部表面から視認可能である、パラグラフＨに記載の取付体。
Ｊ．収集リザーバは、当該外部表面から視認可能な少なくとも１つの計量表示部（３４０）を備える、パラグラフＨ又はＩに記載の取付体。
Ｋ．当該スパウトは、切頭斜円錐体、切頭直円錐体、切頭一般化斜錐体、及び切頭一般化直錐体からなる群から選択される形状を有する、パラグラフＡ〜Ｊのいずれかに記載の取付体。
Ｌ．
当該タイマーは、当該タイマー液体を収容するタイマーチャンバ（４１０）と、タイマー要素（４００）と、を備え、
当該タイマー液体は第１の密度を有し、当該タイマー要素は第２の密度を有し、
当該第２の密度は当該第１の密度と異なり、
当該タイマー要素は、当該タイマー液体を通って移動可能であり、
当該タイマー要素は、当該タイマーチャンバの外側から視認可能であり、
１つ以上の計量表示部が、当該タイマーチャンバ上にあるか、又は当該タイマーチャンバに隣接する、パラグラフＡ〜Ｇのいずれかに記載の取付体。
Ｍ．当該タイマーチャンバは、第１の端部（４１５）と、当該第１の端部の反対側にある第２の端部（４２０）と、当該第１の端部を当該第２の端部に接続し、当該タイマー液体を収容する当該タイマーチャンバを画定する、タイマーチャンバ壁部（４２５）と、を備え、当該第１の端部から当該第２の端部までの当該タイマーチャンバは、当該スパウト入口から当該スパウト出口までの当該スパウトと整列している、パラグラフＬに記載の取付体。
Ｎ．当該第２の密度は当該第１の密度よりも大きい、パラグラフＬ又はＭに記載の取付体。
Ｏ．当該取付体は、当該スパウト出口が当該スパウト入口の上方にある第１の姿勢と、当該スパウト入口が当該スパウト出口の上方にある第２の姿勢と、を有し、
当該取付体が当該第１の姿勢から当該第２の姿勢へと移行したとき、当該タイマー要素は、当該第１の端部から当該第２の端部に向かって当該タイマー液体を通って移動するか、又は当該第２の端部から当該第１の端部に向かって当該タイマー液体を通って移動する、パラグラフＬ〜Ｎのいずれかに記載の取付体。
Ｐ．当該周辺取付具は、容器本体（２０）の開放端部（４０）と係合されている、パラグラフＡ〜Ｏのいずれかに記載の取付体。
Ｑ．当該取付体は、当該スパウト出口と係合されているか又は当該スパウト出口を覆うクロージャを更に備える、パラグラフＡ〜Ｐのいずれかに記載の取付体。
Ｒ．取付体（２００）であって、
取付体本体（７０）と、
当該取付体本体と係合され取付面（２０５）を有する周辺取付具（２０２）と、
上流にあるスパウト入口（９０）及び下流にあるスパウト出口（１００）、並びに当該スパウト入口から当該スパウト出口へと延びるスパウト壁部（１１０）を有するスパウト（８０）であって、当該スパウト入口はスパウト入口反転部（１２０）を有し、当該スパウト出口はスパウト出口反転部（１３０）を有し、当該スパウト入口反転部と当該スパウト出口反転部とを接続する直線が、当該取付面の上方に約１０度〜約８５度の角度に向いている、スパウト（８０）と、
当該スパウト出口と整列し、当該スパウト出口の上流にある、非可動の部分的障害物（１４０）と、
当該スパウト出口から離隔したエントランス（１６０）と、当該エントランスからイグジット（１８０）へと延びる通気口壁部（１７０）と、を備える通気口（１５０）であって、当該イグジットは当該スパウト入口と流体連通している、通気口（１５０）と、
当該取付体本体と係合されたタイマー（１９０）であって、タイマー液体（４０５）の固定体積を含む閉鎖システムを含むタイマー（１９０）と、を備える、取付体。
Ｓ．当該スパウト入口反転部と当該スパウト出口反転部とを接続する当該直線が、当該潤滑面の上方に約５０度〜約８０度の角度に向いている、パラグラフＲに記載の取付体。
Ｔ．取付体（２００）であって、
取付体本体（７０）と、
当該取付体本体と係合され取付面（２０５）を有する周辺取付具（２０２）と、
上流にあるスパウト入口（９０）及び下流にあるスパウト出口（１００）、並びに当該スパウト入口から当該スパウト出口へと延びるスパウト壁部（１１０）を有するスパウト（８０）であって、当該スパウト入口はスパウト入口反転部（１２０）を有し、当該スパウト出口はスパウト出口反転部（１３０）を有し、当該スパウト入口反転部と当該スパウト出口反転部とを接続する直線が、当該取付面の上方に約１０度〜約８５度の角度に向いている、スパウト（８０）と、
当該スパウト出口と整列し、当該スパウト出口の上流にある、非可動の部分的障害物（１４０）と、
当該スパウト出口から離隔したエントランス（１６０）と、当該エントランスからイグジット（１８０）へと延びる通気口壁部（１７０）と、を備える通気口（１５０）であって、当該イグジットは当該スパウト入口と流体連通している、通気口（１５０）と、
当該取付体本体と係合されたタイマー（１９０）であって、タイマー液体（４０５）の固定体積を含む閉鎖システムを含むタイマー（１９０）と、を備える、取付体。
Ｕ．当該スパウト出口は、スパウト出口周囲長（２６０）を有し、当該イグジットは、当該部分的障害物から、当該スパウト出口周囲長の約０．５倍超だけ離れており、当該イグジットは、イグジット周囲長（２７０）を有し、当該スパウト出口周囲長は、当該イグジット周囲長の約２倍超である、パラグラフＳに記載の取付体。
Ｖ．当該スパウト入口反転部と当該スパウト出口反転部とを接続する当該直線が、当該潤滑面の上方に約５０度〜約８０度の角度に向いている、パラグラフＴ又はＵに記載の取付体。
Ｗ．取付体（２００）であって、
取付体本体（７０）と、
当該取付体本体と係合され取付面（２０５）を有する周辺取付具（２０２）と、
上流にあるスパウト入口（９０）及び下流にあるスパウト出口（１００）、並びに当該スパウト入口から当該スパウト出口へと延びるスパウト壁部（１１０）を有するスパウト（８０）であって、当該スパウト入口はスパウト入口反転部（１２０）を有し、当該スパウト出口はスパウト出口反転部（１３０）を有し、当該スパウト入口反転部と当該スパウト出口反転部とを接続する直線が、当該取付面の上方に約１０度〜約８５度の角度に向いている、スパウト（８０）と、
当該スパウト出口と整列し、当該スパウト出口の上流にある、非可動の部分的障害物（１４０）と、
当該スパウト出口から離隔したエントランス（１６０）と、当該エントランスからイグジット（１８０）へと延びる通気口壁部（１７０）と、を備える通気口（１５０）であって、当該イグジットは当該スパウト入口と流体連通している、通気口（１５０）と、
当該取付体本体と係合されたタイマーであって、姿勢起動電子タイマー（１９５）を備えるタイマー（１９０）と、を備え、
当該取付体は、少なくとも部分的に当該スパウトの周囲に延び、当該スパウトから離れるように外向きに延びるフロア（２１０）と、チャネル壁部（２２０）であって、当該スパウト入口から離れる方向に当該フロアから延びて当該スパウトと当該チャネル壁部との間にドレインバックチャネル（２３０）を画定する、チャネル壁部と、を更に備え、当該フロアは、当該エントランスに向かって、又は当該スパウト入口と流体連通している穴（２４０）に対して傾斜している、取付体。
Ｘ．当該タイマーは、１つ以上のライト（１９７）を備える、パラグラフＵに記載の取付体。
Ｙ．当該スパウト入口反転部と当該スパウト出口反転部とを接続する当該直線が、当該潤滑面の上方に約５０度〜約８０度の角度に向いている、パラグラフＷ又はＸに記載の取付体。
【００８９】
本明細書にて開示された寸法及び値は、列挙された正確な数値に厳密に限定されるものとして理解されるべきではない。その代わりに、特に指示がない限り、そのような各寸法は、列挙された値とその値を囲む機能的に同等な範囲との両方を意味することが意図されている。例えば、「４０ｍｍ」と開示された寸法は、「約４０ｍｍ」を意味することが意図される。
【００９０】
相互参照される又は関連するすべての特許又は特許出願、及び本願が優先権又はその利益を主張する任意の特許出願又は特許を含む、本願に引用されるすべての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【００９１】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのようなすべての変更及び修正を添付の特許請求の範囲に網羅することが意図されている。
【図１】
2021525202.tif 000003
【図２】
2021525202.tif 000004
【図３】
2021525202.tif 000005
【図４】
2021525202.tif 000006
【図５】
2021525202.tif 000007
【図６】
2021525202.tif 000008
【図７】
2021525202.tif 000009
【図８】
2021525202.tif 000010
【図９】
2021525202.tif 000011
【図１０】
2021525202.tif 000012
【図１１】
2021525202.tif 000013
【図１２】
2021525202.tif 000014
【図１３】
2021525202.tif 000015
【国際調査報告】
2021525202.tif 000016
2021525202.tif 000017
2021525202.tif 000018